(57)【要約】【課題】硫化の度合いを正確かつ容易に検出することができる硫化検出抵抗器を提供する。【解決手段】硫化検出抵抗器１０は、直方体形状の絶縁基板１と、絶縁基板１の主面における両端部に形成された第１表電極２および第２表電極３と、第１表電極２に並列に接続された複数の硫化検出導体４と、各硫化検出導体４と第２表電極３と間に接続された複数の抵抗体５と、各硫化検出導体４の一部および各抵抗体５の全体を覆うように形成された保護膜６とを備えており、各硫化検出導体４が保護膜６に覆われずに所定のギャップＧを隔てて対向する硫化検出部４ａを有していると共に、各硫化検出導体４が銅の含有量を相違する材料で形成されており、各硫化検出導体４に形成されたギャップＧが累積硫化量の増加に伴って異なるタイミングで導通するようになっている。【選択図】図１
2020125966.tif 000002
【特許請求の範囲】
【請求項１】
直方体形状の絶縁基板と、
前記絶縁基板の主面における両端部に形成された一対の表電極と、
一方の前記表電極に並列に接続された銅を主成分とする複数の硫化検出導体と、
他方の前記表電極と前記硫化検出導体との間に接続された複数の抵抗体と、
前記抵抗体の全体および前記硫化検出導体の一部を覆うように形成された保護膜と、
を備え、
前記硫化検出導体は前記保護膜に覆われずに所定のギャップを隔てて対向する硫化検出部を有しており、
複数の前記硫化検出導体に形成された前記ギャップが、前記硫化検出部の累積的な硫化に伴って異なるタイミングで導通することを特徴とする硫化検出抵抗器。
【請求項２】
請求項１に記載の硫化検出抵抗器において、
複数の前記硫化検出導体は銅の含有量を異にする材料で形成されていることを特徴とする硫化検出抵抗器。
【請求項３】
請求項１に記載の硫化検出抵抗器において、
複数の前記硫化検出導体は間隔を異にする前記ギャップを有していることを特徴とする硫化検出抵抗器。
【請求項４】
請求項１に記載の硫化検出抵抗器において、
前記保護膜は、前記複数の硫化検出導体と一方の前記表電極との接続部を覆うように形成されていることを特徴とする硫化検出抵抗器。
【請求項５】
請求項１に記載の硫化検出抵抗器において、
並列配置された複数の前記硫化検出部の間に帯状保護膜が形成されていることを特徴とする硫化検出抵抗器。
【請求項６】
請求項５に記載の硫化検出抵抗器において、
前記帯状保護膜は前記硫化検出部の幅方向エッジ側を覆っていることを特徴とする硫化検出抵抗器。
【請求項７】
請求項１に記載の硫化検出抵抗器において、
前記一対の表電極間に導通確保回路部が前記硫化検出導体と並列に配置されており、前記導通確保回路部が直列に接続された抵抗体と導体とからなると共に、これら抵抗体と導体の全体が前記保護膜で覆われていることを特徴とする硫化検出抵抗器。
【請求項８】
請求項７に記載の硫化検出抵抗器において、
前記導通確保回路部の前記抵抗体は、前記硫化検出導体に接続する他の抵抗体よりも抵抗値が低く設定されていることを特徴とする硫化検出抵抗器。
【請求項９】
請求項１に記載の硫化検出抵抗器において、
前記一対の表電極間に連続して形成された前記抵抗体および前記硫化検出導体のうち、前記抵抗体にトリミング溝が形成されていると共に、該抵抗体の両端部に前記硫化検出導体と測定用導体が接続されていることを特徴とする硫化検出抵抗器。
【請求項１０】
請求項１に記載の硫化検出抵抗器において、
前記ギャップは蛇行形状であることを特徴とする硫化検出抵抗器。
【発明の詳細な説明】
【技術分野】
【０００１】
本発明は、腐食環境の累積的な硫化量を検出するための硫化検出抵抗器に関する。
【背景技術】
【０００２】
一般的にチップ抵抗器等の電子部品の内部電極としては、比抵抗の低いＡｇ（銀）系の電極材料が使用されているが、銀は硫化ガスに晒されると硫化銀となり、硫化銀は絶縁物であることから、電子部品が断線してしまうという不具合が発生してしまう。そこで近年では、ＡｇにＰｄ（パラジウム）やＡｕ（金）を添加して硫化しにくい電極を形成したり、電極を硫化ガスが到達しにくい構造にする等の硫化対策が講じられている。
【０００３】
しかし、このような硫化対策を電子部品に講じたとしても、当該電子部品が硫化ガス中に長期間晒された場合や高濃度の硫化ガスに晒された場合は、断線を完全に防ぐことが難しくなるため、未然に断線を検知して予期せぬタイミングでの故障発生を防止することが必要となる。
【０００４】
そこで従来より、特許文献１に記載されているように、電子部品の累積的な硫化の度合いを検出して、電子部品が硫化断線する等して故障する前に危険性を検出可能とした硫化検出センサが提案されている。
【０００５】
特許文献１に記載された硫化検出センサは、絶縁基板上にＡｇを主体とした硫化検出体を形成し、この硫化検出体を覆うように透明で硫化ガス透過性のある保護膜を形成すると共に、絶縁基板の両側端部に硫化検出体に接続する端面電極を形成した構成となっている。このように構成された硫化検出センサを他の電子部品と共に回路基板上に実装した後、該回路基板を硫化ガスを含む雰囲気で使用すると、時間経過に伴って他の電子部品が硫化されると共に、硫化ガスが硫化検出センサの保護膜を透過して硫化検出体に接するため、硫化ガスの濃度と経過時間に応じて硫化検出体の色が変化していく。これにより、硫化検出体の色の変化を保護膜を透して目視したり、硫化検出センサの上面に照射した光の硫化検出体からの反射光を検出したり、あるいは硫化検出体の抵抗値の変化を検出することにより、硫化の度合いを検出するようにしている。
【先行技術文献】
【特許文献】
【０００６】
【特許文献１】特開２００９−２５０６１１号公報
【発明の概要】
【発明が解決しようとする課題】
【０００７】
しかし、硫化ガスによる硫化検出体の色の変化は微妙であるため、作業員の目視によって硫化の度合いを正確に検出することは困難であり、硫化検出体からの反射光に基づいて硫化の度合いを検出するとしても、検出するための大掛かりな設備が別途必要になるという課題がある。また、硫化検出体は比抵抗の低いＡｇを主体とした導電体であるため、累積的な硫化量に伴う硫化検出体の抵抗値変化は微量であり、さらにＡｇは温度特性（ＴＣＲ）が非常に悪く、温度による抵抗値変化が大きいため、硫化検出体の抵抗値の変化に基づいて硫化の度合いを正確に検出することも困難となる。
【０００８】
本発明は、このような従来技術の実情に鑑みてなされたもので、その目的は、硫化の度合いを正確かつ容易に検出することができる硫化検出抵抗器を提供することにある。
【課題を解決するための手段】
【０００９】
上記の目的を達成するために、本発明の硫化検出抵抗器は、直方体形状の絶縁基板と、前記絶縁基板の主面における両端部に形成された一対の表電極と、一方の前記表電極に並列に接続された銅を主成分とする複数の硫化検出導体と、他方の前記表電極と前記硫化検出導体との間に接続された複数の抵抗体と、前記抵抗体の全体および前記硫化検出導体の一部を覆うように形成された保護膜と、を備え、前記硫化検出導体は前記保護膜に覆われずに所定のギャップを隔てて対向する硫化検出部を有しており、複数の前記硫化検出導体に形成された前記ギャップが、前記硫化検出部の累積的な硫化に伴って異なるタイミングで導通することを特徴としている。
【００１０】
このように構成された硫化検出抵抗器では、直列に連続する硫化検出導体と抵抗体の組が一対の表電極間に複数組並列に接続されていると共に、各組の硫化検出導体が所定のギャップを隔てて対向する硫化検出部を有しており、硫化ガスに晒されることで生成する硫化銅の結晶が伸長してギャップ間に跨ることにより、各組の硫化検出導体が異なるタイミングで導通状態となるため、一対の表電極間の抵抗値変化が段階的に変化していき、硫化の度合いを正確かつ容易に検出することができる。
【００１１】
上記構成の硫化検出抵抗器において、複数の硫化検出導体が銅の含有量を異にする材料で形成されていると、各硫化検出導体が有するギャップの間隔を同じにしても、各組の硫化検出導体が導通するタイミングを異ならせることができる。
【００１２】
また、上記構成の硫化検出抵抗器において、複数の硫化検出導体が間隔を異にするギャップを有していると、各硫化検出導体を同一組成の材料で形成しても、各組の硫化検出導体が導通するタイミングを異ならせることができる。
【００１３】
また、上記構成の硫化検出抵抗器において、保護膜が複数の硫化検出導体と一方の表電極との接続部を覆うように形成されていると、保護膜によって表電極と硫化検出部が隔てられるため、硫化検出抵抗器を回路基板に半田実装する際に、硫化検出部が半田で覆われてしまうことを防止できる。また、表電極をＡｇ等を用いて形成した場合に、硫化検出導体側へのマイグレーションによって硫化検出部の予期せぬ導通を防止することができる。
【００１４】
また、上記構成の硫化検出抵抗器において、並列配置された複数の硫化検出部の間に帯状保護膜が形成されていると、硫化検出部の隣接間距離が狭くなった場合でも、隣接する硫化検出部間の予期せぬ短絡を帯状保護膜によって抑制することができる。この場合において、帯状保護膜は硫化検出部の幅方向エッジ側を覆っていることが好ましい。
【００１５】
また、上記構成の硫化検出抵抗器において、一対の表電極間に導通確保回路部が硫化検出導体と並列に配置されており、この導通確保回路部が直列に接続された抵抗体と導体とからなると共に、これら抵抗体と導体の全体が保護膜で覆われていると、複数の硫化検出部が導通する前の初期状態において、導通確保回路部によって両表電極間の導通を確保することができる。
【００１６】
この場合において、導通確保回路部の抵抗体の抵抗値が、硫化検出導体に接続する他の抵抗体の抵抗値よりも低く設定されていると、硫化検出導体が導通状態になったときに、抵抗値の低い抵抗体を有する導通確保回路部に多くの電流が流れるため、硫化銅の結晶が硫化検出導体の硫化検出部間に僅かに接触した場合に負荷が少なくなり、不要な過負荷断線等を防止することができる。
【００１７】
また、上記構成の硫化検出抵抗器において、一対の表電極間に連続して形成された抵抗体および硫化検出導体のうち、抵抗体にトリミング溝が形成されていると共に、該抵抗体の両端部に硫化検出導体と測定用導体が接続されていると、各組の抵抗体の抵抗値をトリミングする際に、個々の抵抗体の両端部に接続された硫化検出導体と測定用導体にプローブを当接させながらトリミングを行うことができる。
【００１８】
また、上記構成の硫化検出抵抗器において、硫化検出導体の硫化検出部間に存するギャップが蛇行形状であると、硫化検出導体の限られた幅寸法内に全長の長いギャップを介在させることができるため、導通を検出する範囲が長くなって検出精度を高めることができる。
【発明の効果】
【００１９】
本発明によれば、硫化の度合いを正確かつ容易に検出することが可能な硫化検出抵抗器を提供することができる。
【図面の簡単な説明】
【００２０】
【図１】本発明の第１実施形態例に係る硫化検出抵抗器の平面図である。
【図２】図１のII−II線に沿う断面図である。
【図３】該硫化検出抵抗器の製造工程を示す平面図である。
【図４】該硫化検出抵抗器の製造工程を示す断面図である。
【図５】該硫化検出抵抗器における累積硫化量と抵抗値の関係を示す説明図である。
【図６】本発明の第２実施形態例に係る硫化検出抵抗器の平面図である。
【図７】本発明の第３実施形態例に係る硫化検出抵抗器の平面図である。
【図８】本発明の第４実施形態例に係る硫化検出抵抗器の平面図である。
【図９】本発明の第５実施形態例に係る硫化検出抵抗器の平面図である。
【図１０】該硫化検出抵抗器における累積硫化量と抵抗値の関係を示す説明図である。
【図１１】本発明の第６実施形態例に係る硫化検出抵抗器の平面図である。
【発明を実施するための形態】
【００２１】
以下、発明の実施の形態について図面を参照しながら説明すると、図１は本発明の第１実施形態例に係る硫化検出抵抗器の平面図、図２は図１のII−II線に沿う断面図である。
【００２２】
図１と図２に示すように、第１実施形態例に係る硫化検出抵抗器１０は、直方体形状の絶縁基板１と、絶縁基板１の表面の長手方向両端部に設けられた第１表電極２および第２表電極３と、第１表電極２に並列に接続された複数（本実施形態では３つ）の硫化検出導体４と、各硫化検出導体４と第２表電極３との間に接続された複数の抵抗体５と、各硫化検出導体４の一部と各抵抗体５の全体を覆う保護膜６と、絶縁基板１の裏面の長手方向両端部に設けられ一対の裏電極７と、絶縁基板１の長手方向両端面に設けられた一対の端面電極８と、端面電極８の表面に設けられた外部電極９と、によって主として構成されている。
【００２３】
絶縁基板１は、後述する大判基板を縦横の分割溝に沿って分割して多数個取りされたものであり、大判基板の主成分はアルミナを主成分とするセラミックス基板である。
【００２４】
第１表電極２と第２表電極３は銅を主成分とするＣｕ系ペーストをスクリーン印刷して乾燥・焼成したものであり、これら第１表電極２と第２表電極３は所定間隔を存して対向するように絶縁基板１の長手方向両端部に形成されている。一対の裏電極７も銅を主成分とするＣｕ系ペーストをスクリーン印刷して乾燥・焼成したものであり、これら裏電極７は絶縁基板１の表面側の第１表電極２および第２表電極３と対応する位置に形成されている。
【００２５】
第１表電極２に並列に接続された３つの硫化検出導体４は、銅を主成分とするＣｕ系ペーストをスクリーン印刷して乾燥・焼成したものであるが、Ｃｕペーストに添加されたＮｉ（ニッケル）の含有量が相違している。具体的には、図１の上段に位置する硫化検出導体４はＮｉを全く含まないＣｕペーストからなり、図１の中段に位置する硫化検出導体４はＮｉを５％含むＣｕ−Ｎｉペーストからなり、図１の下段に位置する硫化検出導体４はＮｉを１０％含むＣｕ−Ｎｉペーストからなる。硫化検出導体４の中央部には幅方向に沿って延びるスリット状のギャップＧが形成されており、このギャップＧの間隔は各硫化検出導体４で全て同じ寸法に設定されている。
【００２６】
複数の抵抗体５はＣｕ−Ｎｉ等の抵抗体ペーストをスクリーン印刷して乾燥・焼成させたものである。抵抗体５の両端部は硫化検出導体４と第２表電極３に接続されており、１組の硫化検出導体４と抵抗体５の直列回路部が第１表電極２と第２表電極３との間に３組並列に接続されている。
【００２７】
保護膜６はアンダーコート層とオーバーコート層の２層構造からなり、そのうちアンダーコート層はガラスペーストをスクリーン印刷して乾燥・焼成させたものであり、オーバーコート層はエポキシ系樹脂ペーストをスクリーン印刷して加熱硬化させたものである。この保護膜６は各硫化検出導体４の中央部分を除く部位と各抵抗体５の全体を覆うように形成されており、保護膜６から外部に露出する各硫化検出導体４の中央部分は、ギャップＧを隔てて対向する一対の硫化検出部４ａとなっている。なお、硫化検出部４ａを挟んで２つに分離した保護膜６のうち、一方（図示左側）の保護膜６は第１表電極２と各硫化検出導体４との接続部を覆う位置まで延びており、他方（図示右側）の保護膜６は第２表電極３と各抵抗体５との接続部を覆う位置まで延びている。
【００２８】
一対の端面電極８は、絶縁基板１の端面にＮｉ／Ｃｒをスパッタリングしたり、Ａｇ系ペーストを塗布して加熱硬化させたものであり、これら端面電極８は対応する第１表電極２と裏電極７間、および第２表電極３と裏電極７間をそれぞれ導通するように形成されている。
【００２９】
一対の外部電極９はバリヤー層と外部接続層の２層構造からなり、そのうちバリヤー層は電解メッキによって形成されたＮｉメッキ層であり、外部接続層は電解メッキによって形成されたＳｎメッキ層である。これら外部電極９により、保護膜６から露出する第１表電極２と第２表電極３の表面と、裏電極７および端面電極８の表面がそれぞれ被覆されている。
【００３０】
次に、この硫化検出抵抗器１０の製造工程について、図３と図４を用いて説明する。なお、図３（ａ）〜（ｆ）はこの製造工程で用いられる大判基板を表面的に見た平面図、図４（ａ）〜（ｆ）は図３（ａ）〜（ｆ）のＡ−Ａ線に沿う１チップ相当分の断面図をそれぞれ示している。
【００３１】
まず、絶縁基板１が多数個取りされる大判基板を準備する。この大判基板には予め１次分割溝と２次分割溝が格子状に設けられており、両分割溝によって区切られたマス目の１つ１つが１個分のチップ領域となる。図３には１個分のチップ領域に相当する大判基板１０Ａが代表して示されているが、実際は多数個分のチップ領域に相当する大判基板に対して以下に説明する各工程が一括して行われる。
【００３２】
すなわち、図３（ａ）と図４（ａ）に示すように、この大判基板１０Ａの表面にＣｕ系ペーストをスクリーン印刷した後、これを乾燥・焼成して一対の第１表電極２と第２表電極３を形成する。なお、これと同時あるいは前後して、大判基板１０Ａの裏面にＣｕ系ペーストをスクリーン印刷した後、これを乾燥・焼成することにより、第１表電極２および第２表電極３に対応する一対の裏電極７を形成する。
【００３３】
次に、図３（ｂ）と図４（ｂ）に示すように、大判基板１０Ａの表面に銅を主成分とするＣｕ系ペーストをスクリーン印刷して乾燥・焼成することにより、ギャップＧを有して第１表電極２に接続する３つの硫化検出導体４を形成する。これら３つの硫化検出導体４はＣｕに含有されるＮｉの含有量を相違しており、便宜上、図中の各硫化検出導体４に上から順に符号４Ａ，４Ｂ，４Ｃを付すと、硫化検出導体４ＡはＮｉを全く含まないＣｕからなり、硫化検出導体４ＢはＮｉを５％含むＣｕ−Ｎｉからなり、硫化検出導体４ＣはＮｉを１０％含むＣｕ−Ｎｉからなる。そして、まず、Ｎｉを含まないＣｕペーストをスクリーン印刷して乾燥した後、Ｎｉを５％含むＣｕ−Ｎｉペーストをスクリーン印刷して乾燥し、最後にＮｉを１０％含むＣｕ−Ｎｉペーストをスクリーン印刷して乾燥・焼成することにより、第１表電極２に並列に接続された３つの硫化検出導体４Ａ，４Ｂ，４Ｃを形成する。なお、各硫化検出導体４Ａ，４Ｂ，４ＣのギャップＧの間隔は全て同じ寸法に設定されている。
【００３４】
次に、Ｃｕ−Ｎｉ等の抵抗体ペーストをスクリーン印刷して乾燥・焼成することにより、図３（ｃ）と図４（ｃ）に示すように、両端部が硫化検出導体４（４Ａ，４Ｂ，４Ｃ）と第２表電極３に接続する３つの抵抗体５を形成する。
【００３５】
次に、各抵抗体５を覆う領域にガラスペーストをスクリーン印刷した後、このガラスペーストを乾燥・焼成してアンダーコート層を形成し、必要に応じてアンダーコート層の上から抵抗体５に図示せぬトリミング溝を形成して抵抗値調整する。しかる後、アンダーコート層の上からエポキシ系樹脂ペーストをスクリーン印刷して加熱硬化させることにより、図３（ｄ）と図４（ｄ）に示すように、各硫化検出導体４Ａ，４Ｂ，４Ｃの一部と各抵抗体５の全体を覆う２層構造の保護膜６を形成する。その際、各硫化検出導体４Ａ，４Ｂ，４Ｃの中央部分が保護膜６から露出し、この露出部分がギャップＧを介して対向する硫化検出部４ａとなる。また、第１表電極２と各硫化検出導体４Ａ，４Ｂ，４Ｃの接続部が保護膜６によって覆われると共に、第２表電極３と各抵抗体５の接続部も保護膜６によって覆われる。
【００３６】
次に、可溶性材料等からなる図示せぬマスキングで各硫化検出導体４Ａ，４Ｂ，４Ｃの硫化検出部４ａを覆い、この状態で大判基板１０Ａを一次分割溝に沿って短冊状基板１０Ｂに１次分割した後、短冊状基板１０Ｂの分割面にＮｉ／Ｃｒをスパッタリングすることにより、図３（ｅ）と図４（ｅ）に示すように、第１表電極２と裏電極７間および第２表電極３と裏電極７間を接続する端面電極８を形成する。なお、短冊状基板１０Ｂの分割面にＮｉ／Ｃｒをスパッタリングする代わりに、Ａｇ系ペーストを塗布して加熱硬化させることにより端面電極８を形成するようにしても良い。
【００３７】
次に、短冊状基板１０Ｂを二次分割溝に沿って複数のチップ状基板１０Ｃに２次分割し、これらチップ状基板１０Ｃに対して電解メッキを施してＮｉ−Ｓｎメッキ層を形成した後、前述したマスキングを溶剤を用いて除去する。これにより、図３（ｆ）と図４（ｆ）に示すように、第１表電極２と第２表電極３と裏電極７および端面電極８の表面に外部電極９が形成され、図１，２に示す硫化検出抵抗器１０が完成する。
【００３８】
図５は、本実施形態例に係る硫化検出抵抗器１０を硫化ガス雰囲気中に配置した場合における累積硫化量と抵抗値の関係を示す説明図である。図５に示すように、硫化検出抵抗器１０が硫化ガスに晒される前の初期状態において、第１表電極２と第２表電極３との間に並列配置された３つの硫化検出導体４（４Ａ，４Ｂ，４Ｃ）にギャップＧが形成されているため、硫化検出抵抗器１０の初期抵抗値はオープン状態となっている。
【００３９】
この硫化検出抵抗器１０が硫化ガスを含む雰囲気中に配置されると、各硫化検出導体４の硫化検出部４ａが硫化ガスに接するため、硫化検出部４ａに生成した硫化銅の結晶がギャップＧ内に向かって徐々に伸長していく。ここで、３つの硫化検出導体４は銅の含有量を異にする材料で形成されており、本実施形態例の場合、図１の上段側の硫化検出導体４（４Ａ）に含まれる銅の含有量が最も多いため、累積硫化量が増えていくことに伴って、まず、当該硫化検出導体４の硫化検出部４ａ間に存するギャップＧが硫化銅を介して短絡する。その結果、第１表電極２と第２表電極３間が上段側の硫化検出導体４（４Ａ）とそれに接続する抵抗体５を介して導通状態となり、各抵抗体５の抵抗値を例えばＲとすると、硫化検出抵抗器１０から１つ分の抵抗体５の抵抗値Ｒが検出される。
【００４０】
このように１つの硫化検出導体４（４Ａ）が導通状態になった後、さらに累積硫化量が増えていくと、２番目に銅の含有量が多い中段側の硫化検出導体４（４Ｂ）の硫化検出部４ａ間に存するギャップＧが硫化銅を介して短絡する。その結果、第１表電極２と第２表電極３間が、並列接続された上・中段の硫化検出導体４（４Ａ，４Ｂ）とそれらに接続する抵抗体５を介して導通状態となるため、硫化検出抵抗器１０から２つの抵抗体５を並列接続した分の抵抗値Ｒ／２が検出される。
【００４１】
さらに累積硫化量が増えていくと、３番目に銅の含有量が多い下段側の硫化検出導体４（４Ｃ）の硫化検出部４ａ間に存するギャップＧも硫化銅を介して短絡する。その結果、第１表電極２と第２表電極３間が、並列接続された上・中・下段の硫化検出導体４（４Ａ，４Ｂ，４Ｃ）とそれらに接続する抵抗体５を介して導通状態となるため、硫化検出抵抗器１０から３つの抵抗体５を並列接続した分の抵抗値Ｒ／３が検出される。
【００４２】
以上説明したように、第１実施形態例に係る硫化検出抵抗器１０では、直列に連続する硫化検出導体４と抵抗体５の組が一対の表電極２，３間に複数組並列に接続されていると共に、各組の硫化検出導体４が所定のギャップＧを介して対向する硫化検出部４ａを有しており、硫化ガスに晒されることで生成する硫化銅の結晶が伸長してギャップＧ間に跨ることにより、各組の硫化検出導体４が異なるタイミングで導通状態となるため、一対の表電極２，３間の抵抗値変化が段階的に変化していき、硫化の度合いを正確かつ容易に検出することができる。なお、第１表電極２と第２表電極３との間に並列接続される硫化検出導体４と抵抗体５の組は、本実施形態例のような３組に限らず２組または４組以上であっても良い。
【００４３】
また、第１実施形態例に係る硫化検出抵抗器１０では、複数の硫化検出導体４の硫化検出部４ａ間が導通するタイミングを異ならせる手段として、各硫化検出導体４が銅の含有量を相違する材料、具体的にはＮｉの含有量を異にするＣｕ系ペーストを用いて形成されているため、Ｃｕに添加するＮｉの含有量を調整することによって、用途に合わせた硫化検出導体４を容易に形成することができる。しかも、複数の硫化検出導体４にギャップＧを介して対向する硫化検出部４ａが形成されており、これら硫化検出部４ａが保護膜６から同じ表面積で露出しているため、硫化ガスを複数の硫化検出部４ａに対して同一条件で作用させることができ、各硫化検出導体４に形成されたギャップＧの導通タイミングを適切に異ならせることができる。
【００４４】
なお、各硫化検出導体４のギャップＧ間が導通するタイミングを異ならせる手段として、各硫化検出導体４を銅の含有量が相違する材料で形成する代わりに、銅の含有量が同じ材料の膜厚を各硫化検出導体４毎に異ならせるようにしても良、その場合、膜厚の厚い硫化検出導体４ほど硫化銅が多く生成するため、膜厚の厚い硫化検出導体４のギャップＧ間が早いタイミングで導通する。
【００４５】
また、第１実施形態例に係る硫化検出抵抗器１０では、保護膜６が各硫化検出導体４と第１表電極２の接続部を覆う位置まで形成されており、保護膜６によって第１表電極２と硫化検出部４ａが隔てられているため、硫化検出抵抗器１０を回路基板に半田実装する際に、硫化検出部４ａが半田で覆われてしまうことを防止できる。また、表電極２，３をＡｇ等を用いて形成した場合に、硫化検出導体４側へのマイグレーションによって硫化検出部４ａの予期せぬ導通を防止することができる。
【００４６】
図６は本発明の第２実施形態例に係る硫化検出抵抗器２０の平面図であり、図１に対応する部分には同一符号を付すことで重複説明を省略する。
【００４７】
図６に示すように、第２実施形態例に係る硫化検出抵抗器２０は、複数の硫化検出導体４が有するギャップＧの間隔を異ならせることにより、各硫化検出導体４の硫化検出部４ａ間が導通するタイミングを異ならせるようにしており、それ以外の構成は第１実施形態例に係る硫化検出抵抗器１０と基本的に同じである。具体的には、図６中の上段に位置する硫化検出導体４のギャップをＧ１、中段に位置する硫化検出導体４のギャップをＧ２、下段に位置する硫化検出導体４のギャップをＧ３とすると、これらギャップＧ１，Ｇ２，Ｇ３の間隔はＧ１＜Ｇ２＜Ｇ３に設定されている。
【００４８】
このように構成された第２実施形態例に係る硫化検出抵抗器２０では、硫化ガスを含む雰囲気中に配置されると、まず、ギャップＧ１の間隔が最も狭い上段側の硫化検出導体４が導通状態となり、次にギャップＧ２の間隔が狭い中段側の硫化検出導体４が導通状態となり、最後に、ギャップＧ３の間隔が最も広い下段側の硫化検出導体４が導通状態となる。
したがって、前述した第１実施形態例と同様に、一対の表電極２，３間の抵抗値変化が段階的に変化していき、硫化の度合いを正確かつ容易に検出することができる。
【００４９】
また、第２実施形態例に係る硫化検出抵抗器２０では、各硫化検出導体４に形成されたギャップＧ１，Ｇ２，Ｇ３の間隔を異ならせることにより、累積硫化量の増加に伴って各硫化検出導体４が異なるタイミングで導通状態となるため、同一組成の材料（例えばＣｕ１００％）を用いて各硫化検出導体４を同一工程で形成することができる。また、この時に、各硫化検出導体４を第１表電極２および第２表電極３と同一組成の材料にて同一工程で形成しても良く、あるいは、同一組成の材料（例えばＮｉを３０％含有するＣｕ）を用いて各硫化検出導体４を抵抗体５と同一工程で形成しても良い。ただし、第１実施形態と同様に、各硫化検出導体４を銅の含有量が相違する材料で形成することも可能であり、その場合、ギャップの間隔が最も狭く設定された硫化検出導体４を銅の含有量が最も多い材料で形成することが好ましい。
【００５０】
図７は本発明の第３実施形態例に係る硫化検出抵抗器３０の平面図、図８は本発明の第４実施形態例に係る硫化検出抵抗器４０の平面図であり、図１に対応する部分には同一符号を付すことで重複説明を省略する。
【００５１】
図７に示すように、第３実施形態例に係る硫化検出抵抗器３０は、保護膜６に各硫化検出導体４の硫化検出部４ａの間に位置する帯状保護膜６ａが形成されており、それ以外の構成は第２実施形態例に係る硫化検出抵抗器２０と基本的に同じである。
【００５２】
このように構成された第３実施形態例に係る硫化検出抵抗器３０では、第１表電極２と第２表電極３との間に並列配置された各硫化検出導体４の硫化検出部４ａの隣接間距離が狭くなった場合でも、隣接する硫化検出部４ａ間の予期せぬ短絡を帯状保護膜６ａによって抑制することができる。
【００５３】
ここで、帯状保護膜６ａの幅寸法は隣接する硫化検出部４ａの間隔より狭くても良いが、図８に示す第４実施形態例に係る硫化検出抵抗器４０のように、帯状保護膜６ａの幅寸法を隣接する硫化検出部４ａの間隔よりも幅広に形成し、帯状保護膜６ａによって硫化検出部４ａの幅方向エッジ側を覆うようにすると、予期せぬ短絡をより効果的に抑制することができる。
【００５４】
なお、第３実施形態例と第４実施形態例では、各硫化検出導体４にギャップＧの間隔を異にする硫化検出部４ａが形成されており、これら硫化検出部４ａの間に帯状保護膜６ａを形成した場合について説明したが、このような帯状保護膜６ａを第１実施形態例に係る硫化検出抵抗器１０に適用し、ギャップＧの間隔が同じに設定された硫化検出部４ａの間に帯状保護膜６ａを形成しても良い。
【００５５】
図９は本発明の第５実施形態例に係る硫化検出抵抗器５０の平面図であり、図１に対応する部分には同一符号を付すことで重複説明を省略する。
【００５６】
図９に示すように、第５実施形態例に係る硫化検出抵抗器５０は、第１表電極２と第２表電極３間に並列に接続された複数組の硫化検出導体４と抵抗体５のうち、例えば図中の上段と中段の硫化検出導体４にだけ保護膜６から露出する硫化検出部４ａが形成されており、保護膜６に覆われた下段の硫化検出導体４は外部に露出する硫化検出部を有していない。また、上段の硫化検出部４ａにギャップＧ１が形成されていると共に、中段の硫化検出部４ａにギャップＧ１よりも間隔の広いギャップＧ２が形成されているが、保護膜６に覆われた下段の硫化検出導体４にギャップは形成されていない。そして、この下段の硫化検出導体４とそれに接続する抵抗体５とで導通確保回路部を構成しており、それ以外の構成は第１実施形態例に係る硫化検出抵抗器１０と基本的に同じである。
【００５７】
図１０は、第５実施形態例に係る硫化検出抵抗器５０を硫化ガス雰囲気中に配置した場合における累積硫化量と抵抗値の関係を示す説明図である。図１０に示すように、硫化検出抵抗器５０が硫化ガスに晒される前の初期状態において、保護膜６に覆われた導通確保回路部の硫化検出導体４とそれに接続する抵抗体５を介して両表電極２，３間が導通されているため、各抵抗体５の抵抗値を例えばＲとすると、硫化検出抵抗器５０の初期抵抗値として１つ分の抵抗体５の抵抗値Ｒが検出される。
【００５８】
そして、この硫化検出抵抗器５０が硫化ガスを含む雰囲気中に配置されると、まず、間隔の狭いギャップＧ１が形成された上段側の硫化検出導体４が導通状態となり、この時点で、上段側の硫化検出導体４に接続する抵抗体５と導通確保回路部の硫化検出導体４に接続する抵抗体５とを並列接続した２つ分の抵抗値Ｒ／２が検出される。さらに累積硫化量が増加していくと、間隔の広いギャップＧ２が形成された中段側の硫化検出導体４が導通状態となり、この時点で、上・中段側の硫化検出導体４に接続する抵抗体５と導通確保回路部の硫化検出導体４に接続する抵抗体５とを並列接続した３つ分の抵抗値Ｒ／３が検出される。したがって、前述した第１乃至第４実施形態例と同様に、一対の表電極２，３間の抵抗値変化が段階的に変化していき、硫化の度合いを正確かつ容易に検出することができる。
【００５９】
このように構成された硫化検出抵抗器５０において、導通確保回路部の抵抗体５の抵抗値が、保護膜６から露出する各硫化検出導体４に接続する他の抵抗体５の抵抗値よりも低く設定されていると、累積硫化量の増加に伴って硫化検出導体４が導通したときに、抵抗値の低い抵抗体５を有する導通確保回路部に多くの電流が流れるため、硫化銅の結晶が硫化検出導体４の硫化検出部４ａ間に僅かに接触した場合に負荷が少なくなり、不要な過負荷断線等を防止することができる。
【００６０】
なお、第５実施形態例に係る硫化検出抵抗器５０において、導通確保回路部の硫化検出導体４は硫化ガスの検出に関与しないため、第１表電極２に第２表電極３に向かって延びる突出部を一体形成し、この突出部を導通確保回路部の硫化検出導体４とすることも可能である。また、保護膜６から露出する複数の硫化検出導体４に形成されるギャップＧの間隔は同じであっても良く、その場合は、各硫化検出導体４を銅の含有量が異なる材料で形成したり、銅の含有量が同じ材料の膜厚を各硫化検出導体４毎に異ならせるようにすれば良い。
【００６１】
図１１は本発明の第６実施形態例に係る硫化検出抵抗器６０の平面図であり、図１に対応する部分には同一符号を付すことで重複説明を省略する。
【００６２】
図１１に示すように、第６実施形態例に係る硫化検出抵抗器６０は、第１表電極２に接続された３つの硫化検出導体４に対応するように、第２表電極３に３つの測定用導体１１を並列に接続し、これら対応する硫化検出導体４と測定用導体１１との間にそれぞれ抵抗体５を直列に接続すると共に、各抵抗体５に抵抗値調整用のトリミング溝５ａが形成されており、それ以外の構成は第２実施形態例に係る硫化検出抵抗器２０と基本的に同じである。
【００６３】
このように構成された第６実施形態例に係る硫化検出抵抗器６０では、並列配置された各抵抗体５の両端部に、硫化検出導体４の一方の硫化検出部４ａと測定用導体１１とが接続されているため、各組の抵抗体５の抵抗値をトリミングする際に、個々の抵抗体５の両端部に接続された硫化検出部４ａと測定用導体１１にプローブを当接させながらトリミングを行うことができる。
【００６４】
また、第６実施形態例に係る硫化検出抵抗器６０において、抵抗体５の一端部だけでなく両端部に測定用導体１１を接続し、これら測定用導体１１を第２表電極３と硫化検出導体４の一方の硫化検出部４ａとに接続するようにしても良く、このように構成すると、より高精度に抵抗体５の抵抗値調整を行うことができる。
【００６５】
なお、上述した各実施形態例では、各硫化検出導体４の硫化検出部４ａ間に存するギャップＧが絶縁基板１の短手方向に沿って直線状に延びる形状となっているが、ギャップＧをくの字状、クランク状、鋸刃形状、波形形状、渦巻き形状等の蛇行形状にすると、全長の長いギャップＧを一対の硫化検出部４ａ間に介在させることができるため、導通を検出する範囲が長くなって検出精度が向上する。
【符号の説明】
【００６６】
１０，２０，３０，４０，５０，６０  硫化検出抵抗器
１  絶縁基板
２  第１表電極
３  第２表電極
４，４Ａ，４Ｂ，４Ｃ  硫化検出導体
４ａ  硫化検出部
５  抵抗体
６  保護膜
６ａ  帯状保護膜
７  裏電極
８  端面電極
９  外部電極
１０Ａ  大判基板
１０Ｂ  短冊状基板
１０ｃ  チップ状基板
１１  測定用導体
Ｇ，Ｇ１，Ｇ２，Ｇ３  ギャップ
【図１】
2020125966.tif 000003
【図２】
2020125966.tif 000004
【図３】
2020125966.tif 000005
【図４】
2020125966.tif 000006
【図５】
2020125966.tif 000007
【図６】
2020125966.tif 000008
【図７】
2020125966.tif 000009
【図８】
2020125966.tif 000010
【図９】
2020125966.tif 000011
【図１０】
2020125966.tif 000012
【図１１】
2020125966.tif 000013